【事件の表示】
　特願２０１３−２３２８４８「データ記録媒体の表面層への印刷」拒絶査定不服審判事件〔平成２６年　２月１３日出願公開、特開２０１４−　２８５２９〕について、次のとおり審決する。
【結　論】
　本件審判の請求は、成り立たない。
【理　由】
第１　手続の経緯
　本願は、平成１２年９月２７日に出願した特願２０００−２９３１９５号（以下、「親出願」という。）の一部を、平成１６年１１月１日に特願２００４−３１７４８６号（以下、「子出願」という。）として分割し、さらに、子出願の一部を平成２２年９月１３日に特願２０１０−２０３８５５号（以下、「孫出願」という。）として分割し、さらに、孫出願の一部を平成２４年２月２９日に特願２０１２−４３３１４号（以下、「ひ孫出願」という。）として分割し、さらに、ひ孫出願の一部を平成２５年１１月１１日に新たな特許出願としたものであって、平成２５年１２月９日に手続補正書が提出され、平成２６年１０月３０日に拒絶理由が通知され、平成２７年１月１３日に意見書が提出され、同年３月３１日に拒絶査定がされ、同査定の謄本は平成２７年４月１４日に請求人に送達された。これに対して、平成２７年６月２９日に拒絶査定不服審判の請求がなされ、平成２８年４月１９日に拒絶理由(以下「当審拒絶理由」という。）が通知され、平成２８年６月１６日に意見書及び手続補正書が提出されたものである。
第２　本願発明
　本願発明は、平成２８年６月１６日に提出された手続補正書により補正された特許請求の範囲の請求項１ないし５に記載された事項により特定されるとおりのものであると認められ、請求項１に係る発明（以下、「本願発明」という。）は、以下のとおりのものである。
「【請求項１】
　ＣＤ−Ｒに対して印刷を実行する印刷モードと、フォトプリント紙に対して印刷を実行する印刷モードを有し、
　前記ＣＤ−Ｒに対して印刷を実行する印刷モードにおける最大インク量は、前記フォトプリント紙に対して印刷を実行する印刷モードにおける最大インク量よりも少ない、７．２mg/inch2であることを特徴とする、印刷装置。」
第３　当審拒絶理由の概要
　平成２８年４月１９日付けで通知した当審拒絶理由の概要は以下のとおりである。
１　当審拒絶理由１（特許法第３６条第６項第１号）
 この出願は、特許請求の範囲の記載が下記の点で、特許法第３６条第６項第１号に規定する要件を満たしていない。
 　　　　　　　　　　　　　　　　　記 
　請求項１の「前記ＣＤ−Ｒに対して印刷を実行する印刷モードにおける最大インク量は、前記フォトプリント紙に対して印刷を実行する印刷モードにおける最大インク量よりも少ないこと」について、発明の詳細な説明【００８３】等の記載からすれば、「インク滴が印刷媒体に吸収されたり蒸発して小さくなる前に、隣接するインク滴が凝集して大きなインク滴となると、画質が劣化し、特に合成樹脂のようなインクを吸収しない印刷媒体では、凝集が起こりやすい。」という課題が記載されている。当該課題を解決する手段としては、「印刷媒体に応じてインク滴を小さくすること」が【００８５】等の記載から理解できるが、これはすなわち、フォトプリント紙よりもＣＤ−Ｒの最大インク量を少なくするという印刷媒体間の相対的な関係によって、課題が解決できるものではない。つまり、ＣＤ−Ｒの最大インク量をフォトプリント紙の最大インク量よりも小さく設定したとしても、ＣＤ−Ｒで凝集が生じる大きさのインク滴となっている場合には、発明の詳細な説明に記載された課題は解決されない。したがって、請求項１の記載は、発明の詳細な説明に記載された、発明の課題を解決するための手段が反映されておらず、発明の課題が解決できることを当業者が認識できるように記載された範囲を超えたものである。請求項４、５の記載、および請求項２の普通紙の最大インク量に関する記載についても同様である。
　よって、請求項１ないし５に係る発明は、発明の詳細な説明に記載したものでない。
２　当審拒絶理由２（特許法第２９条第２項）
　この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　　記　　　（引用文献等については引用文献等一覧参照） 
・請求項１ないし５ 
・特開平１０−２４４６９２号公報(以下「引用文献１」という。）
・特開平１０−２５００５１号公報(以下「引用文献２」という。） 
・備考　　　　 
　引用文献１に記載の発明及び引用文献２に記載の発明に基づいて、請求項１ないし５に係る発明とすることは、当業者であれば容易に想到する。 
第３　当審拒絶理由１（特許法第３６条第６項第１号）について
１　発明の詳細な説明の記載
　本願の発明の詳細な説明には、以下の記載がある。（下線は当審にて付した。）
（１）「【発明が解決しようとする課題】
　【０００３】
　しかし、
合成樹脂製のデータ記録媒体の表面層はインクの吸収が少ないため、印刷すると印刷媒体の表面でインクが凝集し易く、印刷画質が悪化する傾向が強いという問題があった
「【００３６】
　図３は、プリンタドライバ９６に登録されている複数の印刷モードテーブル１０４の内容を示す説明図である。この印刷モードテーブルには、モード１ａからモード４ｄまでの計１６個の印刷モードが含まれている。印刷解像度としては、３６０×３６０ｄｐｉ，３６０×７２０ｄｐｉ，７２０×７２０ｄｐｉ，１４４０×７２０ｄｐｉの４つを利用可能である。ここで、各印刷解像度は、（主走査方向の解像度）×（副走査方向の解像度）で表されている。図３の表に示されている「最大インク重量」とは、各解像度において使用可能な複数種類のインクドットの中で最大のインクドットの重量を意味している。一般に、
印刷解像度が高いほどインク重量は小さくなる。従って、印刷解像度が高いほど個々のインクドットが乾燥し易い傾向にある。
（２）　「【００３８】
　ところで、
印刷速度は、一般に、スキャン繰り返し数（後述する）が少なく、印刷解像度が低いほど早い、また、単方向印刷よりも双方向印刷の方が早い。
印刷速度が遅いほど個々のインクドットが乾燥し易いので、インク同士の凝集が起こりにくい傾向にある。
　【００３９】
　図３の右側半分には、印刷媒体の種類と、選択可能な印刷モードとの関係を示している。
◎が付されているモードは、推奨設定（図２）において印刷媒体に応じて選択されるモードであり、○が付されているモードは詳細設定においてユーザが選択可能なモードである。
印刷媒体としてＣＤ−Ｒを選択した場合には、推奨設定は、モード４ｄ（１４４０×７２０ｄｐｉ，単方向印刷，４色印刷）である。また、ＣＤ−Ｒの場合には、ユーザは、最も印刷速度の遅い２つのモード４ｃ，４ｄ以外のモードは選択できない。
　【００４０】
　なお、各印刷媒体の欄における「最大インク量」とは、単位面積当たりの全インク量の合計量の制限値を意味している。図３では、各種の印刷モードを、印刷解像度と、印刷方向と、使用インク数との３つのパラメータのみによって分類している。従って、同じ印刷モードでも、最大インク量などの他のパラメータは、印刷媒体によって異なる場合がある。具体的には、
印刷モード４ｄの最大インク量は、普通紙では１１．９mg/inch
2
 であり、フォトプリント紙では１６．７mg/inch
2
 、ＣＤ−Ｒでは７．２mg/inch
2
 である。すなわち、ＣＤ−Ｒの印刷時には、他の印刷媒体の印刷の際よりも最大インク量の制限値が低く設定されている。すなわち、ＣＤ−Ｒの印刷では、単位面積当たりの全インク量が他の印刷媒体の印刷よりも少ないので、インクがより乾燥し易く、インク同士の凝集が起こりにくい。
（３）　「【００４２】
　
このように、本実施例では、ＣＤ−Ｒの印刷時に、プリンタ２０で利用可能な印刷モード１ａ〜４ｄの中で最も印刷速度の遅いモード４ｄが推奨設定として選択されるので、インクが乾燥し易くなり、インク同士の凝集を緩和することができる。この印刷モード４ｄは、最も印刷解像度の高いモードなので、インク滴の重量が小さく、インクが乾き易いという利点もある。さらに、この印刷モード４ｄは、単位面積当たりの全インク量の制限値が最も低いので、この点においても、インクが乾き易く、インク同士の凝集が起こりにくくなっている。
　【００４３】
　また、
印刷モード４ｄは、シアンやマゼンタとしては比較的濃度の高いインクのみを用いており、淡インクを使用しないので、淡インクを用いる場合に比べてインク量を低減することができる。これによって、インクの乾燥が容易になり、インク同士の凝集が起こりにくくなるという効果が高められている。
　【００４４】
　なお、
本実施例では、ＣＤ−Ｒ印刷時の推奨設定の印刷モードとして、印刷解像度が最も高く、単方向印刷であり、淡インクを用いず、最大インク量が最も小さい、という特徴を有するモード４ｄが選択されている。
（４）　「【００８３】
Ｄ．印刷モードの選択による凝集の防止：
　図１１は、凝集の発生とその抑制の状況を示す説明図である。図１１（ａ）は、凝集の発生する過程を示す図であり、図１１（ｂ）凝集が発生しない場合を示す図である。図１１（ａ）の（ａ−１）は、印刷媒体上のある位置にノズルから吐出されたインク滴が付着した状態である。（ａ−２）は、
インク滴が印刷媒体に吸収されたり蒸発して小さくなる前に、他のインク滴が隣接する画素に付着した時
二つのインク滴は、結合して大きなインク滴を形成する。このようなインク滴の結合が連続して生じた状態をインクの凝集と言い、画質の劣化の原因となっている。特に、合成樹脂のようにあまりインクを吸収しない印刷媒体では、凝集が起こりやすく画質劣化の大きな原因となっている。
　【００８４】
　図１１（ｂ）の（ｂ−１）の点線は、印刷媒体上のある位置にノズルから吐出されたインク滴が付着した状態を示す。（ｂ−２）は、
先に吐出されたインク滴が印刷媒体に吸収されたり蒸発して小さくなった後に、後に吐出されたインク滴が隣接する画素に付着した時の様子を示す。（ｂ−２）に示すように、向かって左側のインク滴が小さくなっているため、向かって右側のインク滴と結合していないことが分かる。
　【００８５】
　このように、
ある画素にインク滴が付着して十分な時間が経過した後に、隣接する画素にインク滴を付着させれば、この二つのインク滴の結合を防止できる
双方向印刷でなく、単方向印刷の印刷モードを選択するのが好ましい。
印刷解像度を高くすると、インク滴が小さくなるため乾燥がより促進されるが、このためには、より解像度の高い印刷モードを選択するのが好ましい。この結果、印刷速度の遅い特定の印刷モードを、印刷媒体に応じて自動的に選択するのが好ましいことが分かる。
　【００８６】
　印刷媒体に応じて自動的に選択するには、前述のように、印刷条件設定ウィンドウ（図２）において、印刷媒体の種類の選択で合成樹脂の印刷媒体を選択すると、自動的に印刷モードの選択の幅が狭められるようにすれば良い。たとえば、この例では、印刷媒体として合成樹脂の印刷媒体を選択すると、印刷モードテーブル１０４（図３）の中で最も印刷速度の遅い特定の印刷モード４ｃまたは４ｄのみから選択できるようになっている。ただし、たとえば、
次に遅い印刷モード４ａ、４ｂでも、合成樹脂の印刷媒体にきれいに印刷できるような場合には、特定の印刷モード４ａないし４ｄから選択できるようにしても良い。
（５）　「【０１１０】
　上記の実施例では、ＣＤ−Ｒ用の印刷モードとして、解像度が１４４０×７２０で、かつ、印刷方向が単方向印刷であるものを例示している。しかし、たとえば、
解像度がより低い７２０×７２０や双方向印刷であっても、主走査速度や副走査送り速度自体を低下させることにより、最も印刷速度の遅い印刷モードを構成し、ＣＤ−Ｒ用の印刷モードとして採用しても良い。
（６）本願の【図３】より、「４ａ」ないし「４ｄ」の「モード」の「仕様」について、以下の点が見て取れる。
（ア）モード「４ａ」
　「解像度（ｄｐｉ）」が「１４４０×７２０」、「スキャン繰り返し数（ｓ）」が「４回」、「最大インク重量」が「１２ｎｇ」、「印刷方向」が「双方向」、「使用インク数」が「６」、「普通紙」の「選択可否」が「○」、「普通紙」の「最大インク量」が「１１．９mg/inch2」、「フォトプリント紙」の「選択可否」が「◎」、「フォトプリント紙」の「最大インク量」が「１６．７mg/inch2」、「ＣＤ−Ｒ」の「選択可否」が「×」、「ＣＤ−Ｒ］の「最大インク量」が「７．２mg/inch2」のモード。
（イ）モード「４ｂ」
　「解像度（ｄｐｉ）」が「１４４０×７２０」、「スキャン繰り返し数（ｓ）」が「４回」、「最大インク重量」が「１２ｎｇ」、「印刷方向」が「双方向」、「使用インク数」が「４」、「普通紙」の「選択可否」が「○」、「普通紙」の「最大インク量」が「１１．９mg/inch2」、「フォトプリント紙」の「選択可否」が「○」、「フォトプリント紙」の「最大インク量」が「１６．７mg/inch2」、「ＣＤ−Ｒ」の「選択可否」が「×」、「ＣＤ−Ｒ」の「最大インク量」が「７．２mg/inch2」のモード。
（ウ）モード「４ｃ」
　「解像度（ｄｐｉ）」が「１４４０×７２０」、「スキャン繰り返し数（ｓ）」が「４回」、「最大インク重量」が「１２ｎｇ」、「印刷方向」が「単方向」、「使用インク数」が「６」、「普通紙」の「選択可否」が「○」、「普通紙」の「最大インク量」が「１１．９mg/inch2」、「フォトプリント紙」の「選択可否」が「○」、「フォトプリント紙」の「最大インク量」が「１６．７mg/inch2」、「ＣＤ−Ｒ」の「選択可否」が「○」、「ＣＤ−Ｒ」の「最大インク量」が「７．２mg/inch2」のモード。
（エ）モード「４ｄ」
　「解像度（ｄｐｉ）」が「１４４０×７２０」、「スキャン繰り返し数（ｓ）」が「４回」、「最大インク重量」が「１２ｎｇ」、「印刷方向」が「単方向」、「使用インク数」が「４」、「普通紙」の「選択可否」が「○」、「普通紙」の「最大インク量」が「１１．９mg/inch2」、「フォトプリント紙」の「選択可否」が「○」、「フォトプリント紙」の「最大インク量」が「１６．７mg/inch2」、「ＣＤ−Ｒ」の「選択可否」が「◎」、「ＣＤ−Ｒ」の「最大インク量」が「７．２mg/inch2」のモード。
（７）上記（２）の【００３９】の「ＣＤ−Ｒの場合には、ユーザは、最も印刷速度の遅い２つのモード４ｃ，４ｄ以外のモードは選択できない。」という記載は、ユーザが選択できない印刷モードである「４ａ」、「４ｂ」では、上記（１）の【０００３】、（４）の【００８３】に記載された課題を解決できないことを示唆している。また、上記（４）の【００８６】の「次に遅い印刷モード４ａ、４ｂでも、合成樹脂の印刷媒体にきれいに印刷できるような場合には、特定の印刷モード４ａないし４ｄから選択できるようにしても良い。」という記載から、「印刷モード４ａ、４ｂ」では「きれいに印刷」できない場合、すなわち上記（１）の【０００３】、（４）の【００８３】に記載された課題を解決できない場合があることは自明である。
　以上から、発明の詳細な説明には、印刷モード「４ａ」及び「４ｂ」では上記課題を解決できない場合があることが記載されていると認められる。
　上記（１）ないし（７）から、発明の詳細な説明には、ＣＤ−Ｒの表面層はインクの吸収が少ないため、インク滴がＣＤ−Ｒに吸収されたり蒸発して小さくなる前に、他のインク滴が隣接する画素に付着した時、二つのインク滴は、結合して大きなインク滴を形成し、このようなインク滴の結合が連続して生じた状態（インクの凝集）が生じ、画質が劣化するという本願発明の課題が示されており、当該課題を解決する手段として、先に吐出されたインク滴が印刷媒体に吸収されたり蒸発して小さくなった後に、後に吐出されたインク滴が隣接する画素に付着することにより、先に吐出されたインク滴と後に吐出されたインク滴とが結合しないようすることが記載されており、その具体的なものとして、以下の点が記載されている。
ア　印刷解像度を高めてインク重量を小さくし、インクドットを乾燥し易くする。
イ　スキャン繰り返し数を増やし、印刷解像度を高め、双方向印刷として、印刷速度を遅くして、ある画素にインク滴が付着して十分な時間が経過した後に、隣接する画素にインク滴を付着させる。
ウ　単位面積当たりの全インク量（最大インク量）を少なくして、インクが乾燥し易くする。
エ　淡インクを使用しないことにより、淡インクを用いる場合に比べてインク量を低減し、インクの乾燥を容易にする。
オ　主走査速度や副走査送り速度自体を低下させる。
　また、実施例として、「フォトプリント紙」の「最大インク量」よりも「ＣＤ−Ｒ」の「最大インク量」が少なく、「ＣＤ−Ｒ」の「最大インク量」が「７．２mg/inch2」である印刷モード「４ａ」ないし「４ｄ」において、「印刷方向」が「単方向」である「４ｃ」及び「４ｄ」では上記課題を解決することができ、「印刷方向」が「双方向」である「４ａ」及び「４ｂ」では上記課題を解決できない場合があることが記載されている。
２　判断
　発明の詳細な説明の記載からすれば、上記の課題を解決するためには、「最大インク量」だけではなく、上記ア、イ、エ、オに係る「印刷解像度」、「インク重量」、「スキャン繰り返し数」、「双方向印刷」か「単方向印刷」か、「淡インク」の使用の有無、「主走査速度や副走査送り速度」といったパラメータを特定する必要がある。「最大インク量」が「７．２mg/inch2」であっても、「双方向印刷」である場合には、課題を解決できないという発明の詳細な説明の記載は、これを裏付けるものである。
　しかし、請求項１には、「ＣＤ−Ｒに対して印刷を実行する印刷モードにおける最大インク量は、フォトプリント紙に対して印刷を実行する印刷モードにおける最大インク量よりも少ない、７．２mg/inch2であること」と記載されているのみで、他のパラメータは何ら記載されていない。してみると、本願発明は、発明の詳細な説明の記載から、上記課題を解決できると当業者が認識できる範囲を超えているものである。
　したがって、本願発明は、発明の詳細な説明に記載されているとはいえない。
第４　当審拒絶理由２（特許法第２９条第２項）について
１　刊行物
（１）引用文献１
　当審拒絶理由に引用された、親出願の出願前に頒布された引用文献１には、次の記載がある。
ア　「【要約】
【課題】  使用する用紙の種類に応じて印字品質が変わることのないインクジェットプリンタを提供する。
【解決手段】  装置に用いる用紙の種類を選択するスイッチを設ける。スイッチの状態に応じて用いられる用紙が何であるか判定する（♯１０１）。判定結果に基づいてノズルから吐出するインクのドロップの直径を変化させる（♯１０２〜♯１０４）。
用紙の種類に応じてインクの広がりや吸収の度合が異なるため、インクドロップの直径を変えることにより印字後の画質を用紙にかかわらず一定にすることができる。
イ　「【０００５】（２）  第２の問題点
たとえばＯＨＰフィルムに対しプリントを行なう場合には、通常の紙と比較してインクが乾燥するまでに多くの時間を必要とする。
ウ　「【００１０】
【課題を解決するための手段】上記目的を達成するため、この発明のある局面に従うと、
１つのドットをプリントするためにノズルから吐出されるインクの量を制御することができるインクジェット記録装置
エ　「【００１９】
紙種類選択スイッチ１２０によって、ユーザは印字に用いる用紙がどのような種類の用紙であるかを装置に入力する。具体的には、ユーザは使用する紙の種類として光沢フィルムと、マット紙（紙にシリカコートした吸収しやすい紙）と、普通紙とから任意のものを選択することができる。光沢フィルムを選択したときのモードを紙Ａモード、マット紙を選択したときのモードを紙Ｂモード、普通紙を選択したときのモードを紙Ｃモードと呼ぶ。
オ　「【００４４】図を参照して、
ステップ♯１０１で紙種類選択スイッチ１２０によって設定されている用紙が判定される。設定されている用紙が光沢フィルム（用紙Ａ）であれば、ステップ♯１０２でノズル３０７から吐出するインクの直径を５５μｍとする。
【００４５】
ステップ♯１０１でマット紙（用紙Ｂ）が選択されていると判別されたときは、ステップ♯１０３で同様にインクの直径を５５μｍとする。
【００４６】
ステップ♯１０１で普通紙（用紙Ｃ）が選択されていると判別されたときは、ステップ♯１０４でノズル３０７から吐出されるインクの直径を４７μｍとする。
カ　「【００５２】このように、プリントされるドットの直径は紙の種類やコート層の材質により異なるものとなる。そして、階調８（インクドロップ径５５μｍ）のインクによりプリントした紙Ａでのドット径（９８μｍ）と、階調６（インクドロップ径４７μｍ）のインクによりプリントした紙Ｃでのドット径（９８μｍ）とは直径が同一である。この特質を利用して、第１の実施の形態においては、
紙Ａにドットをプリントするときには、インクドロップ径５５μｍのインクを用い、紙Ｃにプリントを行なうときにはインクドロップ径４７μｍのインクを用いるのである。これにより、紙の種類によらずに、同一直径のドットをプリントすることができる。
キ　「【００５７】なお、第１の実施の形態においては、インクジェットヘッドから５５μｍと４７μｍとの２種類のインクドロップを吐出させる構成としたが、これに限らずたとえば３種類以上の直径を有するインクドロップを吐出させるようにし、
さらに多くの種類の紙に対して用いるインクドロップの直径を異ならせるようにしてもよい。
ク　「【００５９】また、
紙種類選択スイッチ１２０でＯＨＰ用紙を選択することができるようにして、ＯＨＰ用紙が選択されたときには、図７の用紙Ｃと同様に４７μｍのインクドロップを用いるようにすることもできる。
ＯＨＰ用紙でのインクの乾燥を速くすることができる。
　上記アないしクより、引用文献１には以下の発明（以下「引用発明１」という。）が記載されていると認められる。
　「１つのドットをプリントするためにノズルから吐出されるインクの量を制御することができ、用紙の種類に応じてインクの広がりや吸収の度合が異なるため、インクドロップの直径を変えることにより印字後の画質を用紙にかかわらず一定にすることができるインクジェット記録装置であって、
　ユーザが印字に用いる用紙として、光沢フィルム、マット紙（紙にシリカコートした吸収しやすい紙）、普通紙、ＯＨＰ用紙から選択してインクジェット記録装置に入力し、
　光沢フィルムを選択したときのモードを紙Ａモード、マット紙を選択したときのモードを紙Ｂモード、普通紙を選択したときのモードを紙Ｃモードと呼び、
　選択されている用紙が光沢フィルム（用紙Ａ）又はマット紙（用紙Ｂ）であれば、ノズル吐出するインクの直径を５５μｍとし、
　選択されている用紙が普通紙（用紙Ｃ）又は通常の紙と比較してインクが乾燥するまでに多くの時間を必要とするＯＨＰ用紙であれば、ノズルから吐出されるインクの直径を４７μｍとし、
　ＯＨＰ用紙でのインクの乾燥を速くすることができ、
　さらに多くの種類の紙に対して用いるインクドロップの直径を異ならせるようにしてもよい
　インクジェット記録装置」
（２）引用文献２
　当審拒絶理由に引用された、親出願の出願前に頒布された引用文献２には、次の記載がある。
ア　「【要約】
【課題】  印刷費用を低減することができるとともに、より簡単な予備検査後、記録を実行することができること。
【解決手段】  
回動機構部１０により支持され用紙４が積載されるトレー部材８が待機状態とされるとき、記録ヘッド部３５によって搬送部６により搬送されるコンパクトディスク２のレーベル部２ＰＡに対し記録動作が行われ、また、トレー部材８が搬送部６に対して近接状態とされるとき、記録ヘッド部３５によって搬送される用紙４の記録面に対して記録動作が行われる
イ　「【０００１】
【発明の属する技術分野】本発明は、
搬送される第１の記録媒体の被記録面もしくは第２の記録媒体の被記録面にそれぞれ選択的に記録画像を得ることができる画像記録装置
ウ　「【０００８】
コンパクトディスク２は、
【０００９】リードイン領域２ＲＩおよびプログラム情報記録領域２ＲＡは、図８の（Ｂ）および（Ｃ）に示されるように、記録されるべき再生音声信号に基づいて変調される書込用の光ビームにより形成されるピット２ｐｉが一方の表面部に螺旋状に配列形成される基板部２Ｂと、基板部２Ｂの一方の表面部を覆う保護膜２Ｆとを含んで構成されている。
【００１０】例えば、
透明なポリカボネート樹脂で作られる基板部２Ｂ
エ　「【００４８】
コンパクトディスク２のレーベル部２ＰＡに記録を行うにあたっては、
キャリッジ部３４が記録部１２を伴って往復動せしめられるとき、記録部１２から所定のタイミングでインクが吐出されることによりコンパクトディスク２のレーベル部２ＰＡに記録データに応じた文字もしくは図形が形成される
【００４９】モード選択信号ＳｍａおよびＳｍｂに基づいて
用紙４の記録面に対して記録を行うにあたっては、
【００５０】これにより、
キャリッジ部３４が記録部１２を伴って往復動せしめられるとき、記録部１２から所定のタイミングでインクが吐出され、図５の（Ａ）に示されるように、コンパクトディスク２のレーベル部２ＰＡの領域に対応する外径線ＯＬと内径線ＩＬとの間に、記録データに応じた文字Ｗｏが用紙４の被記録面に形成される
　上記アないしエより、引用文献２には、次の発明（以下「引用発明２」という。）が記載されていると認められる。
　「回動機構部により支持され用紙が積載されるトレー部材が待機状態とされるとき、記録ヘッド部によって搬送部により搬送されるコンパクトディスクのレーベル部に対し記録動作が行われ、また、トレー部材が搬送部に対して近接状態とされるとき、記録ヘッド部によって搬送される用紙の記録面に対して記録動作が行われる画像記録装置であって、
　コンパクトディスクは透明なポリカボネート樹脂で作られる基板部を備え、
　コンパクトディスクのレーベル部、又用紙の記録面に記録を行うにあたっては、キャリッジ部が記録部を伴って往復動せしめられるとき、記録部から所定のタイミングでインクが吐出されることにより、コンパクトディスクのレーベル部又は用紙の被記録面に、記録データに応じた文字もしくは図形が形成される画像形成装置」
２　対比
　本願発明と引用発明１とを対比すると、引用発明１の「光沢フィルム、マット紙（紙にシリカコートした吸収しやすい紙）」は、本願発明の「フォトプリント紙」に相当する。
　引用発明１の「光沢フィルムを選択したときのモードを紙Ａモード、マット紙を選択したときのモードを紙Ｂモード」は、本願発明の「フォトプリント紙に対して印刷を実行する印刷モード」に相当する。
　引用発明１の「ＯＨＰ用紙」と、本願発明の「ＣＤ−Ｒ」とは、双方とも合成樹脂からなる印刷対象である点で共通しており、合成樹脂の一般的な性質から「通常の紙と比較してインクが乾燥するまでに多くの時間を必要とする」点でも共通している。
　引用発明１では、「選択されている用紙が光沢フィルム（用紙Ａ）又はマット紙（用紙Ｂ）であれば、ノズル吐出するインクの直径を５５μｍとし、選択されている用紙が普通紙（用紙Ｃ）又は通常の紙と比較してインクが乾燥するまでに多くの時間を必要とするＯＨＰ用紙であれば、ノズルから吐出されるインクの直径を４７μｍ」としている。一般に「最大インク量」は、「１つのドットをプリントするためにノズルから吐出されるインク量」に比例するから、引用発明１において、「光沢フィルム（用紙Ａ）又はマット紙（用紙Ｂ）」のときよりも、「ＯＨＰ用紙」のときの方が、最大インク量は少ないといえる。したがって、引用発明１の「選択されている用紙が光沢フィルム（用紙Ａ）又はマット紙（用紙Ｂ）であれば、ノズル吐出するインクの直径を５５μｍとし、選択されている用紙が普通紙（用紙Ｃ）又は通常の紙と比較してインクが乾燥するまでに多くの時間を必要とするＯＨＰ用紙であれば、ノズルから吐出されるインクの直径を４７μｍ」としていることと、本願発明の「前記ＣＤ−Ｒに対して印刷を実行する印刷モードにおける最大インク量は、前記フォトプリント紙に対して印刷を実行する印刷モードにおける最大インク量よりも少ない、７．２mg/inch2であること」とは、通常の紙と比較してインクが乾燥するまでに多くの時間を必要とする合成樹脂からなる印刷対象に対して印刷を実行する印刷モードにおける最大インク量は、前記フォトプリント紙に対して印刷を実行する印刷モードにおける最大インク量よりも少ない点で共通している。
　引用発明１の「インクジェット記録装置」は、本願発明の「印刷装置」に相当する。
　したがって、本願発明と引用発明１とは、
　「通常の紙と比較してインクが乾燥するまでに多くの時間を必要とする合成樹脂からなる印刷対象に対して印刷を実行する印刷モードと、フォトプリント紙に対して印刷を実行する印刷モードを有し、
　前記印刷対象に対して印刷を実行する印刷モードにおける最大インク量は、前記フォトプリント紙に対して印刷を実行する印刷モードにおける最大インク量よりも少ない印刷装置」
である点で一致し、以下の点で相違している。
［相違点］
　本願発明では、「通常の紙と比較してインクが乾燥するまでに多くの時間を必要とする合成樹脂からなる印刷対象」が「ＣＤ−Ｒ」であり、「最大インク量」が「７．２mg/inch2」であるのに対し、引用発明１では、上記「印刷対象」が「ＯＨＰ用紙」であり、「最大インク量」は特定されていない点。
３　判断
　上記相違点について検討する。
　引用発明２の「コンパクトディスク」は、本願発明の「ＣＤ−Ｒ」に相当するから、引用発明２は、「ＣＤ−Ｒに所定のタイミングでインクが吐出されることにより、記録データに応じた文字もしくは図形が形成される画像形成装置」を開示している。
　一方、引用発明１は、「さらに多くの種類の紙に対して用いるインクドロップの直径を異ならせるようにしてもよい」との技術的事項を備えており、「光沢フィルム、マット紙（紙にシリカコートした吸収しやすい紙）、普通紙、ＯＨＰ用紙」より多くの種類の印刷媒体を採用し、インクドロップの直径、すなわち最大インク量を最適化することが示唆されている。
　そして、「ＣＤ−Ｒ」は「ＯＨＰ用紙」と同様に合成樹脂からなることは技術常識であり、「ＣＤ−Ｒ」についても「通常の紙と比較してインクが乾燥するまでに多くの時間を必要とする」ものであることは自明であるから、引用発明１と引用発明２とは、通常の紙と比較してインクが乾燥するまでに多くの時間を必要とする合成樹脂からなる印刷対象に対し、インクを吐出してドットを形成してプリントする装置である点で共通している。
　してみると、引用発明１に引用発明２を適用することは、当業者であれば容易に想到し得るものである。
　そして、引用発明１に引用発明２を適用すれば、「ＣＤ−Ｒ」での最大インク量は、当然、「ＯＨＰ用紙」と同様に、インクの乾燥を速くするため、「光沢紙」、「マット紙（紙にシリカコートした吸収しやすい紙）」の最大インク量よりも小さくなるものであり、その際、引用発明１において、「ＣＤ−Ｒに対して印刷を実行する印刷モードにおける最大インク量」を具体的にどの程度とするかは、当業者が引用発明１を実施するに際して適宜定めるべき設計的事項であるところ、本願明細書を見ても、上記相違点に係る本願発明の特定事項である「ＣＤ−Ｒに対して印刷を実行する印刷モードにおける最大インク量」を「７．２mg/inch2」とした点に格別の臨界的意義や技術的意義を有するものではないから、この点についても当業者が容易に想到し得るものである。
　よって、上記相違点に係る本願発明の特定事項は、引用発明１及び引用発明２に基づいて、当業者が容易に想到し得るものである。
　また、本願発明の発明特定事項の全体によって奏される効果も、引用発明１及び引用発明２から、当業者が予測し得る範囲のものである。
第４　むすび
　以上のとおり、本願発明は、発明の詳細な説明に記載したものであるとはいえないから、特許請求の範囲の記載は、特許法第３６条第６項１号に適合せず、特許を受けることができない。
　また、本願発明は、引用発明１及び２に基づいて、当業者が容易に発明をすることができたものであるから、特許法第２９条第２項の規定により、特許を受けることができない。
　よって、結論のとおり審決する。